(57)【要約】【課題】  ダイレクトプリンティングのための装置及び方法を提供する。【解決手段】  イメージ供給装置が印刷しようとするイメージデータのリンク情報及びテキストデータが含まれたマークアップ文書を伝送するステップと、マークアップ文書を受信した印刷装置の要請によって、イメージ供給装置が保存しているイメージデータに関する情報を伝送するステップと、伝送されたイメージデータに関する情報を通じて、印刷しようとするイメージデータを識別できるデータ識別子を獲得した印刷装置からデータ識別子を受信するステップと、受信されたデータ識別子を通じて識別されるイメージデータを伝送するステップと、を含むダイレクトプリンティングのためのデータ伝送方法。これにより、イメージ供給装置と印刷装置との間のダイレクトプリンティング時、イメージデータ及びテキストデータを伝送してそれらを共に印刷できる。【選択図】  図５
2006107485.tif 000002
【特許請求の範囲】
【請求項１】
イメージ供給装置が、印刷しようとするイメージデータのリンク情報及びテキストデータが含まれたマークアップ文書を伝送するステップと、
前記マークアップ文書を受信した印刷装置の要請によって、前記イメージ供給装置が保存しているイメージデータに関する情報を伝送するステップと、
前記伝送されたイメージデータに関する情報を通じて、前記印刷しようとするイメージデータを識別できるデータ識別子を獲得した前記印刷装置から前記データ識別子を受信するステップと、
前記受信されたデータ識別子を通じて識別されるイメージデータを伝送するステップと、を含むダイレクトプリンティングのためのデータ伝送方法。
【請求項２】
前記マークアップ文書を伝送するステップは、前記イメージ供給装置が、ユーザから前記印刷しようとするイメージデータ及びテキストデータを指定されるステップと、
前記指定されたイメージデータのリンク情報及び前記テキストデータを備えるマークアップ文書を生成するステップと、
前記生成されたマークアップ文書を前記印刷装置に伝送するステップと、を含む請求項１に記載のダイレクトプリンティングのためのデータ伝送方法。
【請求項３】
前記イメージデータに関する情報を伝送するステップは、前記印刷装置の第１要請によって、前記イメージ供給装置に含まれた保存媒体上の物理的または論理的に区分された一つ以上の保存領域を識別できる保存領域識別子を伝送するステップと、
前記印刷装置の第２要請によって、前記保存領域識別子で識別される保存領域に保存されたイメージデータのデータ識別子を伝送するステップと、
前記印刷装置の第３要請によって、前記データ識別子を通じて識別されるイメージデータに関する情報を伝送するステップと、を含む請求項１に記載のダイレクトプリンティングのためのデータ伝送方法。
【請求項４】
前記イメージデータに関する情報は、前記伝送されたデータ識別子を通じて識別されるイメージデータのリンク情報を備える請求項３に記載のダイレクトプリンティングのためのデータ伝送方法。
【請求項５】
前記保存領域識別子を伝送するステップは、前記印刷しようとするイメージデータを、他のデータが保存された保存領域から物理的または論理的に区分された臨時保存領域に保存するステップと、
前記印刷装置の第１要請によって前記臨時保存領域の保存領域識別子を伝送するステップと、を含む請求項３に記載のダイレクトプリンティングのためのデータ伝送方法。
【請求項６】
前記印刷装置が印刷しようとするイメージデータ及びテキストデータを印刷した場合、前記イメージ供給装置が、前記臨時保存領域に保存されたデータを削除するステップをさらに含む請求項５に記載のダイレクトプリンティングのためのデータ伝送方法。
【請求項７】
前記データ識別子は、前記印刷装置と前記イメージ供給装置との間に使われるイメージデータ伝送のためのプロトコル上で、伝送するデータを識別するために使われるデータ識別子である請求項１に記載のダイレクトプリンティングのためのデータ伝送方法。
【請求項８】
前記イメージデータ伝送のためのプロトコルは、ＰＴＰである請求項７に記載のダイレクトプリンティングのためのデータ伝送方法。
【請求項９】
前記マークアップ文書は、前記印刷しようとするイメージデータ及びテキストデータの印刷形態を表すレイアウトに関する情報を備える請求項１に記載のダイレクトプリンティングのためのデータ伝送方法。
【請求項１０】
印刷装置が、イメージ供給装置から受信された、印刷するイメージデータのリンク情報及びテキストデータを含むマークアップ文書をパージングするステップと、
前記イメージ供給装置から、前記イメージ供給装置が保存しているイメージデータに関する情報を受信するステップと、
前記受信されたイメージデータに関する情報を通じて、前記パージングされたマークアップ文書に備えられたイメージデータのリンク情報に対応するイメージデータを識別できるデータ識別子を獲得するステップと、
前記イメージ供給装置から、前記データ識別子により識別されるイメージデータを受信して、前記パージングされたマークアップ文書に備えられたテキストデータと共に印刷するステップと、を含むダイレクトプリンティング方法。
【請求項１１】
前記イメージデータに関する情報を受信するステップは、
前記イメージ供給装置に備えられた保存媒体上の物理的または論理的に区分された一つ以上の保存領域を識別できる保存領域識別子の伝送を要請する第１要請ステップと、
前記第１要請によって、前記イメージ供給装置から前記保存領域識別子を受信し、前記受信された保存領域識別子で識別される保存領域に保存されたイメージデータのデータ識別子伝送を要請する第２要請ステップと、
前記第２要請によって、前記イメージ供給装置から前記データ識別子を受信し、前記受信されたデータ識別子を通じて識別されるイメージデータに関する情報の伝送を要請する第３要請ステップと、
前記第３要請によって、前記イメージ供給装置から前記イメージデータに関する情報を受信するステップと、を含む請求項１０に記載のダイレクトプリンティング方法。
【請求項１２】
前記イメージデータに関する情報は、前記受信されたデータ識別子を通じて識別されるイメージデータのリンク情報を備える請求項１１に記載のダイレクトプリンティングのためのダイレクトプリンティング方法。
【請求項１３】
前記印刷装置は、前記受信されたデータ識別子及びリンク情報を保存するステップをさらに含む請求項１２に記載のダイレクトプリンティング方法。
【請求項１４】
前記イメージ供給装置との連結が解除された場合、前記印刷装置が前記保存したデータ識別子及びリンク情報を削除するステップをさらに含む請求項１３に記載のダイレクトプリンティング方法。
【請求項１５】
前記データ識別子は、前記印刷装置と前記イメージ供給装置との間に使われるイメージデータ伝送のためのプロトコル上で、伝送するデータを識別するために使われるデータ識別子である請求項１０に記載のダイレクトプリンティング方法。
【請求項１６】
前記イメージデータ伝送のためのプロトコルは、ＰＴＰである請求項１５に記載のダイレクトプリンティング方法。
【請求項１７】
前記マークアップ文書は、前記印刷するイメージデータ及びテキストデータの印刷形態を表すレイアウトに関する情報を含む請求項１０に記載のダイレクトプリンティング方法。
【請求項１８】
一つ以上の物理的または論理的に区分された保存領域を備え、前記保存領域に一つ以上のイメージデータを保存する保存部と、
印刷しようとするイメージデータのリンク情報及びテキストデータを、所定のマークアップ言語でコンポージングするエンコーディング部と、
印刷装置の要請に応じて前記保存部に保存されたイメージデータ、前記保存されたイメージデータに関する情報及び前記エンコーディング部のコンポージングの結果、生成されたマークアップ文書の伝送を制御する制御部と、
所定のデータ伝送媒体を通じて印刷装置と直接連結されて前記印刷装置の要請を受信し、前記制御部の制御によって前記印刷装置に所定のデータを送信する外部装置インターフェース部と、を備えるイメージ供給装置。
【請求項１９】
前記制御部は、前記印刷装置の第１要請によって、前記保存領域を識別できる保存領域識別子を送信し、前記印刷装置の第２要請によって、前記保存領域識別子で識別される保存領域に保存されたイメージデータのデータ識別子を伝送し、前記印刷装置の第３要請によって、前記データ識別子を通じて識別されるイメージデータに関する情報を伝送する請求項１８に記載のイメージ供給装置。
【請求項２０】
前記イメージデータに関する情報は、前記伝送されたデータ識別子を通じて識別されるイメージデータのリンク情報を備える請求項１９に記載のイメージ供給装置。
【請求項２１】
前記制御部は、前記印刷しようとするイメージデータを前記保存部に含まれた保存領域のうち、他のデータが保存された保存領域から物理的または論理的に区分された臨時保存領域に保存させる請求項１９に記載のイメージ供給装置。
【請求項２２】
前記印刷装置に送信される保存領域識別子は、前記臨時保存領域の保存領域識別子である請求項２１に記載のイメージ供給装置。
【請求項２３】
前記印刷装置が前記イメージデータ及びテキストデータを印刷した場合、前記制御部は、前記臨時保存領域に保存されたイメージデータを削除させる請求項２２に記載のイメージ供給装置。
【請求項２４】
前記データ識別子は、前記印刷装置にイメージデータを伝送するために使われるプロトコルで、伝送するデータを識別するために使われるデータ識別子である請求項１８に記載のイメージ供給装置。
【請求項２５】
前記印刷装置にイメージデータを伝送するために使われるプロトコルは、ＰＴＰである請求項２４に記載のイメージ供給装置。
【請求項２６】
前記エンコーディング部は、前記印刷しようとするイメージデータ及びテキストデータの印刷形態を示すレイアウトに関する情報を、前記印刷しようとするイメージデータ及びテキストデータと共にコンポージングする請求項１８に記載のイメージ供給装置。
【請求項２７】
所定のデータ伝送媒体を通じてイメージ供給装置と直接連結されて、前記イメージ供給装置とデータを送受信する外部装置インターフェース部と、
イメージ供給装置から受信された、印刷するイメージデータのリンク情報及びテキストデータを備えるマークアップ文書をパージングするデコーディング部と、
前記イメージ供給装置から受信されたイメージデータに関する情報を通じて、前記イメージデータのリンク情報に対応するイメージデータを識別できるデータ識別子を獲得し、前記獲得したデータ識別子を通じて識別されるイメージデータを要請する制御部と、
前記制御部の要請結果、前記イメージ供給装置から受信されたイメージデータを前記パージングされたマークアップ文書に備えられたテキストと共に印刷する印刷部と、を備える印刷装置。
【請求項２８】
前記制御部は、前記イメージ供給装置に備えられた保存媒体上の物理的または論理的に区分された一つ以上の保存領域を識別できる保存領域識別子の伝送を要請し、前記保存領域識別子の伝送要請によって、前記イメージ供給装置から受信された保存領域識別子で識別される保存領域に保存されたイメージデータのデータ識別子の伝送を要請し、前記データ識別子の伝送要請によって、前記イメージ供給装置から受信されたデータ識別子を通じて識別されるイメージデータに関する情報の伝送を要請し、前記イメージデータに関する情報の伝送要請によって、前記イメージ供給装置から前記イメージデータに関する情報を受信する請求項２７に記載の印刷装置。
【請求項２９】
前記イメージデータに関する情報は、前記受信されたデータ識別子を通じて識別されるイメージデータのリンク情報を備える請求項２８に記載の印刷装置。
【請求項３０】
前記受信されたデータ識別子及びリンク情報を保存する保存部をさらに備える請求項２８に記載の印刷装置。
【請求項３１】
前記イメージ供給装置との連結が解除された場合、前記制御部は、前記保存部に保存されたデータ識別子及びリンク情報を削除する請求項３０に記載の印刷装置。
【請求項３２】
前記データ識別子は、前記イメージ供給装置からイメージデータを伝送されるために使われるプロトコルで、伝送されるデータを識別するために使われるデータ識別子である請求項２７に記載の印刷装置。
【請求項３３】
前記イメージ供給装置からイメージデータを伝送されるために使われるプロトコルはＰＴＰである請求項３２に記載の印刷装置。
【請求項３４】
前記マークアップ文書は、前記印刷するイメージデータ及びテキストデータの印刷形態を示すレイアウトに関する情報を備える請求項２７に記載の印刷装置。
【発明の詳細な説明】
【技術分野】
【０００１】
本発明は、ダイレクトプリンティングのための装置及び方法に係り、より詳細には、イメージ供給装置と印刷装置との間のダイレクトプリンティング作業時、イメージデータ及びテキストデータを伝送し、それらを共に印刷できるダイレクトプリンティングのための装置及び方法に関する。
【背景技術】
【０００２】
最近、デジタルカメラ、デジタルカムコーダ、デジタルカメラ付き携帯電話など、イメージキャプチャ機能を持つ携帯可能なデジタル撮影装置（以下、撮影装置という）の普及が広がっている。撮影装置は、周辺イメージを撮影し、それをデジタルイメージデータ（以下、イメージデータという）に変換して保存する。ユーザは、保存されたイメージデータをプリンタのような印刷装置を通じて印刷でき、これにより、撮影装置が撮影したイメージデータを印刷するための技術が開発された。
【０００３】
イメージデータを印刷するための従来技術では、まず、撮影装置から印刷中継装置（例えば、パソコン）にイメージデータを伝送させる。イメージデータを伝送された印刷中継装置は、ユーザの要求に応じて印刷するイメージのレイアウト、解像度などを調節して、印刷のための一連のイメージデータ処理作業を行う。その後、印刷装置は、印刷中継装置により処理されたイメージデータを入力され、印刷中継装置により設定された印刷条件によってイメージデータを印刷する。
【０００４】
しかし、最近ではパソコンのような各種印刷条件を設定する印刷中継装置によらずに、撮影装置と印刷装置との間の直接的な印刷作業を行える技術（以下、ダイレクトプリンティングという）が開発された。ダイレクトプリンティング技術によれば、撮影装置と印刷装置とがデータ伝送媒体（例えば、ＵＳＢ（Ｕｎｉｖｅｒｓａｌ Ｓｅｒｉａｌ Ｂｕｓ）ケーブル）を通じて直接連結されて、撮影装置に保存されたイメージデータを直ちに印刷装置を通じて印刷できる。
【０００５】
図１は、従来の技術によるダイレクトプリンティング過程を示すフローチャートである。
最初にユーザが、ＵＳＢケーブルのような伝送媒体を利用して撮影装置１１０と印刷装置１２０とを連結すれば、撮影装置１１０は、印刷装置１２０の連結如何を確認する（Ｓ１１０）。この時、印刷装置１２０も撮影装置１１０の連結如何を確認できる。
印刷装置１２０との連結が確認された場合、撮影装置１１０は、印刷装置１２０が持っている機能を確認する（Ｓ１２０）。この時、撮影装置１１０は、印刷可能な用紙の種類及びサイズ、印刷するイメージデータのフォーマット、出力可能なレイアウト及びその他のオプションなど、印刷装置１２０の各種印刷機能に関する情報を獲得できる。
印刷装置１２０の機能が確認されれば、撮影装置１１０は、印刷装置１２０に印刷作業を始めるように指示する（Ｓ１３０）。この時、撮影装置１１０は、印刷するイメージデータを識別できるデータ識別子を共に伝送できる。データ識別子は、撮影装置１１０と印刷装置１２０との間に伝送されるデータを識別するための識別情報である。
印刷装置１２０は、受信されたデータ識別子を撮影装置１１０に伝送して印刷するイメージデータを要請する（Ｓ１４０）。
これにより、撮影装置１１０は、データ識別子に対応するイメージデータを印刷装置１２０に伝送し（Ｓ１５０）、印刷装置１２０は、伝送されたイメージデータを印刷する（Ｓ１６０）。
イメージデータの伝送時（Ｓ１５０）、撮影装置１１０は、印刷されるイメージデータのレイアウト、解像度、印刷用紙の指定など印刷条件を設定する情報を共に伝送できる。または、図示した過程中に印刷条件を設定する過程が追加されることもある。
イメージデータの印刷が終われば、印刷装置１２０は、印刷作業が終了したことを撮影装置１１０に知らせることができ（Ｓ１７０）、撮影装置１１０が、それに対する確認応答を伝送することによって（Ｓ１８０）、ダイレクトプリンティング作業が完了する。
【０００６】
一方、特許文献１は、ＵＳＢ、ＩＥＥＥ １３９４及びブルートゥースのような多様なインターフェースのうち、任意のインターフェースまたはデータフォーマットでも適用可能なダイレクトプリンタについて開示している。
【０００７】
このような従来のダイレクトプリンティング技術は、撮影装置と印刷装置との間のイメージデータ伝送及び印刷に関する内容のみを含んでいる。しかし、今後ユーザの要求がさらに多様になるという点を鑑みる時、イメージデータだけでなくイメージデータをテキストデータと共に印刷できるダイレクトプリンティング技術が要求された。
【特許文献１】韓国特許出願公開第２００４−４９８６８号公報（印刷装置、そのための制御方法及び保存媒体）
【発明の開示】
【発明が解決しようとする課題】
【０００８】
本発明は、ダイレクトプリンティング時、イメージデータをテキストデータと共に印刷可能にするところにその目的がある。
本発明のさらに他の目的は、イメージ供給装置と印刷装置との間にマークアップ文書を使用して、印刷するイメージデータ及びテキストデータを伝送させるところにある。
本発明の目的は、前記で言及した目的に限定されず、言及しなかったさらに他の目的は以下の記載から当業者ならば明確に理解できる。
【課題を解決するための手段】
【０００９】
前記目的を達成するために、本発明の実施形態によるダイレクトプリンティングのためのデータ提供方法は、イメージ供給装置が印刷しようとするイメージデータのリンク情報及びテキストデータが含まれたマークアップ文書を伝送するステップと、前記マークアップ文書を受信した印刷装置の要請によって、前記イメージ供給装置が保存しているイメージデータに関する情報を伝送するステップと、前記伝送されたイメージデータに関する情報を通じて、前記印刷しようとするイメージデータを識別できるデータ識別子を獲得した前記印刷装置から前記データ識別子を受信するステップと、前記受信されたデータ識別子を通じて識別されるイメージデータを伝送するステップと、を含む。
【００１０】
前記目的を達成するために、 本発明の実施形態によるダイレクトプリンティング方法は、印刷装置が、イメージ供給装置から受信された、印刷するイメージデータのリンク情報及びテキストデータを含むマークアップ文書をパージングするステップと、  前記イメージ供給装置から、前記イメージ供給装置が保存しているイメージデータに関する情報を受信するステップと、前記受信されたイメージデータに関する情報を通じて、前記パージングされたマークアップ文書に備えられたイメージデータのリンク情報に対応するイメージデータを識別できるデータ識別子を獲得するステップと、 前記イメージ供給装置から、前記データ識別子により識別されるイメージデータを受信して、前記パージングされたマークアップ文書に備えられたテキストデータと共に印刷するステップと、を含む。
【００１１】
前記目的を達成するために、本発明の実施形態によるイメージ供給装置は、一つ以上の物理的または論理的に区分された保存領域を備え、前記保存領域に一つ以上のイメージデータを保存する保存部と、印刷しようとするイメージデータのリンク情報及びテキストデータを、所定のマークアップ言語でコンポージングするエンコーディング部と、印刷装置の要請に応じて前記保存部に保存されたイメージデータ、前記保存されたイメージデータに関する情報及び前記エンコーディング部のコンポージングの結果、生成されたマークアップ文書の伝送を制御する制御部と、所定のデータ伝送媒体を通じて印刷装置と直接連結されて前記印刷装置の要請を受信し、前記制御部の制御によって前記印刷装置に所定のデータを送信する外部装置インターフェース部と、を備える。
【００１２】
前記目的を達成するために、 本発明の実施形態による 印刷装置は、所定のデータ伝送媒体を通じてイメージ供給装置と直接連結されて、前記イメージ供給装置とデータを送受信する外部装置インターフェース部と、イメージ供給装置から受信された、印刷するイメージデータのリンク情報及びテキストデータを備えるマークアップ文書をパージングするデコーディング部と、前記イメージ供給装置から受信されたイメージデータに関する情報を通じて、前記イメージデータのリンク情報に対応するイメージデータを識別できるデータ識別子を獲得し、前記獲得したデータ識別子を通じて識別されるイメージデータを要請する制御部と、前記制御部の要請結果、前記イメージ供給装置から受信されたイメージデータを前記パージングされたマークアップ文書に備えられたテキストと共に印刷する印刷部と、を備える。
【００１３】
その他の実施形態の具体的な事項は、詳細な説明及び図面に含まれている。
本発明の利点及び特徴、そしてこれを達成する方法は添付された図面に基づいて詳細に後述されている実施形態を参照すれば明確になる。しかし、本発明は以下で開示される実施形態に限定されるものではなく、この実施形態から外れて多様な形に具現でき、本明細書で説明する実施形態は本発明の開示を完全にし、本発明が属する技術分野で当業者に発明の範ちゅうを完全に報せるために提供されるものであり、本発明は請求項及び発明の詳細な説明により定義されるだけである。一方、明細書全体にわたって同一な参照符号は同一な構成要素を示す。
【００１４】
本発明において、イメージ供給装置とは、イメージデータを保存し、データ伝送媒体を通じて印刷装置と直接連結されて、保存されたイメージデータを印刷装置に伝送することによって、ダイレクトプリンティング作業を行える携帯可能な装置である。したがって、従来技術を通じて説明した撮影装置だけでなく、周辺映像を撮影してそれをイメージデータに変換する機能はないが、他の装置からイメージデータを伝送されて保存できる装置、例えば、ＰＤＡや携帯電話のような装置もイメージ供給装置の機能を行える。
【発明の効果】
【００１５】
本発明のダイレクトプリンティングのための装置及び方法によれば、ダイレクトプリンティング時、イメージデータをテキストデータと共に印刷できる。また、本発明によれば、イメージ供給装置と印刷装置との間にマークアップ文書を使用して、印刷するイメージデータ及びテキストデータを伝送できる。
【発明を実施するための最良の形態】
【００１６】
以下、添付された図面を参照して本発明の望ましい実施形態を詳細に説明する。
図２は、本発明の一実施形態によるイメージ供給装置を示すブロック図である。
示したイメージ供給装置２００は、ディスプレイ部２１０、ユーザインターフェース部２２０、制御部２４０、外部装置インターフェース部２５０、エンコーディング部２６０及び保存部２７０を備える。イメージ供給装置２００が、周辺映像を撮影し、それをイメージデータに変換するイメージキャプチャ機能を持つ撮影装置である場合、イメージ供給装置２００は、撮影部２３０をさらに備えることができる。
【００１７】
ディスプレイ部２１０は、撮影部２３０により撮影されたイメージデータ、保存部２７０に保存されたイメージデータ及びテキストデータ、ユーザによりユーザインターフェース部２２０に入力されるテキストデータなどをディスプレイする。また、イメージ供給装置２００が印刷装置３００と連結されてダイレクトプリンティング作業を行う場合、ディスプレイ部２１０は、印刷条件及び印刷進行過程などをディスプレイする。したがって、ユーザは、ディスプレイ部２１０を通じて印刷するイメージデータ、テキストデータ及びダイレクトプリンティングのための印刷進行過程を確認することができる。
【００１８】
ユーザインターフェース部２２０は、ユーザがイメージ供給装置２００を制御できる手段を提供する。具体的に、ユーザインターフェース部２２０は、キーボードやタッチスクリーン等で構成できる。
したがって、ユーザは、ユーザインターフェース部２２０を通じて印刷条件設定、印刷するイメージデータ選択、イメージデータと共に印刷するテキスト入力、及び既に保存されたテキストデータ選択などダイレクトプリンティング作業のための印刷過程を制御できる。また、イメージ供給装置２００が撮影部２３０を備える場合、ユーザは、ユーザインターフェース部２２０を通じてイメージ供給装置２００を制御して、各種撮影作業を行うこともできる。
場合によって、ユーザインターフェース部２２０は、ディスプレイ部２１０と共に一つの機能性ブロックで構成されることもある。
【００１９】
撮影部２３０は、周辺映像を撮影して、撮影された映像をイメージデータに変換させる。イメージデータは、保存部２７０に保存され、ユーザの要求に応じてディスプレイ部２１０を通じてディスプレイされるか、外部装置インターフェース部２５０を通じて印刷装置３００に伝送される。
【００２０】
制御部２４０は、ユーザインターフェース部２２０を通じて入力されるユーザの要請によって、イメージ供給装置２００を構成する各機能性ブロックの動作及びダイレクトプリンティング作業を進めるための印刷装置３００との通信を制御する。ダイレクトプリンティング作業を進めるための印刷装置３００との通信時に行われる制御部２４０の機能については、図５ないし図７を通じて明確に理解できる。
制御部２４０は、保存部２７０に一つ以上の論理的保存領域を生成または削除させることができる。一方、制御部２４０は、イメージデータ、マークアップ文書など保存部２７０に保存されたデータにデータ識別子を割り当て、保存部２７０を構成する保存領域に保存領域識別子を割り当てる。また、印刷するイメージデータが選択された場合、制御部２４０は、選択されたイメージデータを保存部２７０の臨時保存領域にコピーして保存させることができる。臨時保存領域に保存されたイメージデータが印刷装置３００により印刷された場合、制御部２４０は、臨時保存領域に保存されたイメージデータを削除させることもできる。
【００２１】
外部装置インターフェース部２５０は、制御部２４０の制御によってデータを印刷装置３００に伝送するか、印刷装置３００から伝送されるデータを受信する。このような外部装置インターフェース部２５０は、ＵＳＢ、ＩＥＥＥ１３９４のように有線伝送媒体を利用するか、ＩｒＤＡ（Ｉｎｆｒａｒｅｄ Ｄａｔａ Ａｓｓｏｃｉａｔｉｏｎ）のように無線伝送媒体を利用して、印刷装置３００と連結されうる。
【００２２】
エンコーディング部２６０は、ユーザインターフェース部２２０を通じてユーザから指定されたイメージデータのリンク情報及びテキストデータを、所定のマークアップ言語でコンポージングする。テキストデータは、ユーザインターフェース部２２０により直接入力されるか、保存部２７０に保存されたデータである。イメージデータのリンク情報は、保存部２７０に保存されたイメージデータを検索する時に使われる情報である。例えば、リンク情報は、保存部２７０上にイメージデータが保存されたホルダー及びイメージデータのファイル名のように、イメージデータが保存された位置を識別できる情報である。一方、エンコーディング部２６０は、印刷されるイメージデータ及びテキストデータのレイアウトに関する情報も共にコンポージングできる。エンコーディング部２６０によりコンポージングされたマークアップ文書の一例を、図３に図示した。
【００２３】
図３は、本発明の一実施形態によってイメージデータ及びテキストデータを備えるマルチメディアデータの印刷形態をマークアップ言語のうち一つであるＸＨＴＭＬで作成した文書である。図示した例で、Ａラインは、印刷するテキストデータを表し、Ｂライン及びＣラインは、テキストデータと共に印刷されるイメージデータをリンク情報ｉｍａｇｅｓ／ｒｙｕｒｉ．ｊｐｇ及びｉｍａｇｅｓ／Ｆｒａｍｅ＿４×３．ｐｎｇにより得られることを表す。
【００２４】
保存部２７０は、イメージデータ、テキストデータ、エンコーディング部２６０によりコンポージングされたマークアップ文書などを保存する。保存部２７０に保存された各データには、イメージ供給装置２００と印刷装置３００との間に使用されるデータ伝送プロトコルが伝送するデータを識別するために使用するデータ識別子が割り当てられうる。例えば、イメージ供給装置２００と印刷装置３００とのデータ交換が、ＰＴＰ（Ｐｉｃｔｕｒｅ Ｔｒａｎｓｆｅｒ Ｐｒｏｔｏｃｏｌ ｆｏｒ Ｄｉｇｉｔａｌ Ｓｔｉｌｌ Ｐｈｏｔｏｇｒａｐｈｙ Ｄｅｖｉｃｅｓ，ＰＩＭＡ １５７４０：２０００，５ Ｊｕｌｙ ２０００）により行われるならば、データ識別子は、ＰＴＰ（Ｐｉｃｔｕｒｅ Ｔｒａｎｓｆｅｒ Ｐｒｏｔｏｃｏｌ）で使われるＯｂｊｅｃｔ Ｈａｎｄｌｅ（Ｏｂｊｈａｎｄｌｅ）でありうる。
一方、保存部２７０は、物理的または論理的に区分された一つ以上の保存領域で構成でき、各保存領域には、保存領域を識別できる保存領域識別子（例えば、ＰＴＰのＳｔｏｒａｇｅＩＤ）が割り当てられうる。
また、ユーザが印刷するイメージデータを選択すれば、選択されたイメージデータは、他のデータが保存された保存領域から物理的または論理的に区分された臨時保存領域に保存されうる。この時に選択されたイメージデータが保存されていた既存の保存領域も該当イメージデータを保存している状態である。
本発明の実施形態によって、ユーザが選択したイメージデータが印刷装置３００により印刷されれば、臨時保存領域に保存されたイメージデータは削除されることもある。
臨時保存領域が他の保存領域から論理的に区分された保存領域である場合、臨時保存領域は、制御部２４０により生成または削除される。
【００２５】
図４は、本発明の一実施形態による印刷装置を示すブロック図である。
示した印刷装置３００は、ディスプレイ部３１０、ユーザインターフェース部３２０、印刷部３３０、制御部３４０、外部装置インターフェース部３５０、デコーディング部３６０及び保存部３７０を備える。
【００２６】
ディスプレイ部３１０は、印刷装置３００の各種印刷進行状況などをディスプレイする。印刷装置３００がイメージ供給装置２００と連結されてダイレクトプリンティング作業を行う場合、ディスプレイ部３１０は、ダイレクトプリンティング作業実行中であることを表示できる。
【００２７】
ユーザインターフェース部３２０は、ユーザが印刷装置３００を制御できる手段を提供する。具体的に、ユーザインターフェース部３２０は、キーボードやタッチスクリーンで構成できる。ユーザは、ユーザインターフェース部３２０を通じて印刷条件指定、印刷用紙設定、給紙／排紙調節など各種印刷条件を設定できる。
印刷装置３００がイメージ供給装置２００と連結されてダイレクトプリンティング作業を行う場合には、イメージ供給装置２００により印刷条件が設定されることもできる。
【００２８】
印刷部３３０は、デコーディング部３６０により、パージング結果によってイメージデータ及びテキストデータを印刷用紙に印刷する。イメージデータは、制御部３４０の要請によってイメージ供給装置２００から伝送される。
【００２９】
制御部３４０は、印刷装置３００を構成する各機能性ブロックの動作及びダイレクトプリンティング作業を進めるためのイメージ供給装置２００との通信を制御する。ダイレクトプリンティング作業を進めるためのイメージ供給装置２００との通信時に行われる制御部３４０の機能については、図５ないし図７を通じて明確に理解できる。
【００３０】
外部装置インターフェース部３５０は、制御部３４０の制御によってデータをイメージ供給装置２００に送信／イメージ供給装置２００から受信する。このような外部装置インターフェース部３５０は、ＵＳＢ、ＩＥＥＥ１３９４のような有線伝送媒体を利用するか、ＩｒＤＡ（Ｉｎｆｒａｒｅｄ Ｄａｔａ Ａｓｓｏｃｉａｔｉｏｎ）のような無線伝送媒体を利用して、イメージ供給装置２００と連結されうる。
【００３１】
デコーディング部３６０は、イメージ供給装置２００から伝送されたマークアップ文書をパージングする。マークアップ文書には、印刷されるイメージデータのリンク情報、テキストデータ及びそれらのレイアウト情報が備えられ、このようなマークアップ文書の一例は、図３を通じて説明した通りである。
【００３２】
保存部３７０は、イメージ供給装置２００の保存部２７０に保存されたイメージデータのデータ識別子及びリンク情報など、イメージ供給装置２００から受信された各種データや印刷情報などを保存する。このようなデータは、外部装置インターフェース部３５０とイメージ供給装置２００との連結が解除された場合、制御部３４０により削除されうる。
また、保存部３７０は、印刷可能な用紙の種類及びサイズ、印刷条件、イメージデータのフォーマット、用紙サイズについて出力可能なレイアウト及びその他のオプションなど、印刷装置３００の各種印刷機能に関する情報を保存することもできる。
【００３３】
図５は、本発明の一実施形態によるイメージ供給装置と印刷装置との通信過程を示すフローチャートである。
本実施形態及び以下の実施形態に関する説明で特別な言及がなくても、イメージ供給装置２００と印刷装置３００との間に伝送される各種命令、要請及びデータは、各外部装置インターフェース部２５０、３５０を通じて伝送される。
【００３４】
最初にユーザが、ＵＳＢケーブルのようなデータ伝送媒体を利用してイメージ供給装置２００と印刷装置３００とを連結すれば、イメージ供給装置２００の制御部２４０は、印刷装置３００との連結を確認する（Ｓ２１０）。この時、印刷装置３００の制御部３４０も、イメージ供給装置２００との連結如何を確認できる。
相互間連結が確認された場合、イメージ供給装置２００の制御部２４０は、印刷装置３００が持っている機能を確認する（Ｓ２１５）。このために、印刷装置３００の制御部３４０は、保存部３７０に保存された印刷機能に関する情報を、外部装置インターフェース部３５０を通じてイメージ供給装置２００に伝送させる。したがって、イメージ供給装置２００は、印刷可能な用紙の種類及びサイズ、印刷条件、イメージデータのフォーマット、用紙サイズに対して出力可能なレイアウト及びその他のオプションなど、印刷装置３００の各種印刷機能に関する情報を獲得できる。
このような連結確認過程（Ｓ２１０）及び印刷装置機能確認過程（Ｓ２１５）は、従来技術によることができる。
【００３５】
ユーザが、ユーザインターフェース部２２０を通じて印刷するイメージデータ及びテキストデータを選択し、それらのレイアウトを指定して印刷命令を入力すれば、エンコーディング部２６０は、指定されたイメージデータのリンク情報とテキストデータ、及びそれらのレイアウトを所定のマークアップ言語でコンポージングする（Ｓ２２０）。
コンポージングの結果、マークアップ文書が生成されれば、制御部２４０は、生成されたマークアップ文書にデータ識別子を割り当てて保存部２７０に保存させ、マークアップ文書のデータ識別子を、印刷作業命令と共に印刷装置３００に伝送させる（Ｓ２２５）。
印刷装置３００の制御部３４０は、印刷するデータを得るために、印刷作業命令と共に受信されたデータ識別子を通じて識別されるデータを、イメージ供給装置２００に要請する（Ｓ２３０）。
印刷装置３００のデータ伝送を要請されたイメージ供給装置２００は、データ識別子を通じて識別されるデータ（ステップＳ２２０で生成されたマークアップ文書）を、保存部２７０で検索して印刷装置３００に伝送する（Ｓ２３５）。
一方、ユーザが事前に生成されたマークアップ文書による印刷を所望する場合、ステップＳ２２０は、事前に保存部２７０に保存されたマークアップ文書が選択されるステップでありうる。この場合、ステップＳ２３５で伝送されるマークアップ文書は、ユーザにより選択されたマークアップ文書である。
【００３６】
イメージ供給装置２００からマークアップ文書が受信されれば、印刷装置３００のデコーディング部３６０は、受信されたマークアップ文書をパージングする（Ｓ２４０）。
パージング結果により、印刷装置３００の制御部３４０は、印刷するテキストデータ、イメージデータのリンク情報及びそれらのレイアウトなどを獲得できる。
一方、印刷するイメージデータのデータ識別子を得るために、制御部３４０は、イメージ供給装置２００からイメージ供給装置に保存されたイメージデータについての情報を得られる（Ｓ２４５）。イメージデータについての情報は、イメージデータのリンク情報、データ形式、データサイズ、圧縮程度などを含むことができる。ステップＳ２４５の過程は、イメージ供給装置２００と印刷装置３００との正常な連結が確立された後（望ましくは、ステップＳ２１５以後）ならば、図５に示した順序の通りでなくあらかじめ行われることもある。
【００３７】
イメージデータについての情報伝送過程（Ｓ２４５）については、図６及び図７を通じてさらに詳細に説明する。
イメージ供給装置２００からイメージデータについての情報を受信した印刷装置３００の制御部３４０は、受信された情報を通じてマークアップ文書に備えられたイメージデータのリンク情報と同じリンク情報を持つイメージデータのデータ識別子を検索する（Ｓ２５０）。
一方、制御部３４０は、イメージ供給装置２００から受信されたイメージデータについての情報を保存部３７０に保存させて置き、外部装置インターフェース部３５０とイメージ供給装置２００との連結が解除された場合、それを削除させることもある。
印刷するイメージデータのデータ識別子を獲得した印刷装置３００の制御部３４０は、イメージ供給装置２００にデータ識別子を伝送させることによって、該当データ識別子により識別されるイメージデータを要請できる（Ｓ２５５）。この時、イメージ供給装置２００の制御部２４０は、受信されたデータ識別子により識別されるイメージデータを保存部２７０で検索して、印刷装置３００に伝送させる（Ｓ２６０）。
もし、イメージ供給装置２００から受信されたマークアップ文書が複数のイメージデータのリンク情報を備える場合、ステップＳ２５０ないしステップＳ２６０の過程を反復することで、印刷装置３００は、印刷に必要なイメージデータを獲得できる。また、イメージ供給装置２００から受信されたマークアップ文書が、さらに他のマークアップ文書のリンク情報を備えている場合、ステップＳ２５０を通じて該当マークアップ文書のデータ識別子を獲得した後、ステップＳ２４５を除外したステップＳ２３０ないしＳ２６０の過程を反復することによって、印刷装置３００は、印刷に必要なイメージデータ及びテキストデータを獲得できる。
【００３８】
イメージデータが受信されれば、印刷装置３００の制御部３４０は、ステップＳ２４０で行われたマークアップ文書のパージング結果を印刷部３３０に出力し、印刷部３３０は、パージング結果によってイメージデータ及びテキストデータを印刷する（Ｓ２６５）。
イメージ供給装置２００から要請された印刷作業が終了すれば、印刷装置３００の制御部３４０は、イメージ供給装置２００に印刷作業終了を通報し（Ｓ２７０）、イメージ供給装置２００がそれに対して応答を発送することで（Ｓ２７５）、ダイレクトプリンティングによる印刷作業が終了する。
【００３９】
図６は、図５のイメージデータについての情報伝送過程（Ｓ２４５）をさらに具体的に示すフローチャートである。
まず、印刷装置３００の制御部３４０は、イメージ供給装置２００に、イメージ供給装置２００の保存部２７０を構成する保存媒体の保存領域を識別できる保存領域識別子を要請する（Ｓ３１０）。
これにより、イメージ供給装置２００の制御部２４０は、保存部２７０を構成する各保存領域に割り当てられた保存領域識別子を印刷装置３００に伝送させる（Ｓ３２０）。
【００４０】
印刷装置３００の制御部３４０は、受信された保存領域識別子をイメージ供給装置２００に伝送させつつ、該当保存領域識別子を通じて識別される保存領域に保存されたイメージデータのデータ識別子を要請する（Ｓ３３０）。
イメージ供給装置２００の制御部２４０は、受信された保存領域識別子を通じて識別される保存領域に保存されたイメージデータ等のデータ識別子を印刷装置３００に伝送させる（Ｓ３４０）。
もし、ステップＳ３２０の過程で複数の保存領域識別子が伝送されたとすれば、各保存領域識別子に対してステップＳ３３０及びステップＳ３４０の過程が反復できる。
【００４１】
イメージデータのデータ識別子を受信した印刷装置３００の制御部３４０は、イメージ供給装置２００にイメージデータのデータ識別子を伝送することによって、データ識別子を通じて識別されるイメージデータについての情報を要請できる（Ｓ３５０）。
これにより、イメージ供給装置２００の制御部２４０は、受信されたデータ識別子が指示するイメージデータについての情報を収集して印刷装置３００に伝送させる（Ｓ３６０）。イメージデータについての情報は、イメージデータのリンク情報、データ形式、データサイズ、圧縮程度などを含むことができる。
もし、ステップＳ３４０の過程で複数のデータ識別子が伝送されたならば、各データ識別子に対して、ステップＳ３５０及びステップＳ３６０の過程が反復できる。
【００４２】
このような過程を通じて、印刷装置３００は、各イメージデータのデータ識別子及びリンク情報を獲得し、これにより、図５のステップＳ２５０で、マークアップ文書に備えられたイメージデータのリンク情報と同じリンク情報を持つイメージデータのデータ識別子を獲得できる。
印刷装置３００の制御部３４０は、イメージ供給装置２００から受信されたイメージデータのデータ識別子及びイメージデータについての情報を、保存部３７０に保存させることができる。図５の印刷過程（Ｓ２６５）が終われば、制御部３４０は、保存部３７０に保存させて置いたイメージデータのデータ識別子及びイメージデータについての情報を削除させることができる。
【００４３】
図７は、図５のイメージデータ情報伝送過程（Ｓ２４５）についての他の実施形態を示すフローチャートである。
まず、印刷装置３００の制御部３４０は、イメージ供給装置２００に、イメージ供給装置２００の保存部２７０を構成する保存媒体の保存領域を識別できる保存領域識別子を要請する（Ｓ４１０）。
この時、イメージ供給装置２００の制御部２４０は、印刷しようとするイメージデータを保存部２７０の臨時保存領域に保存させ（Ｓ４１５）、臨時保存領域の保存領域識別子を印刷装置３００に伝送させる（Ｓ４２０）。
印刷しようとするイメージデータを臨時保存領域に保存させるステップ（Ｓ４１５）は、事前に行われることもある。例えば、イメージ供給装置２００の制御部２４０は、印刷するイメージデータが指定されれば、選択されたイメージデータを臨時保存領域にコピーして保存させることができる。この場合、図７のステップＳ４１５は、図５のステップＳ２２０直後に行われうる。
【００４４】
印刷装置３００の制御部３４０は、受信された保存領域識別子をイメージ供給装置２００に伝送させつつ、臨時保存領域に保存されたイメージデータのデータ識別子を要請する（Ｓ４３０）。
イメージ供給装置２００の制御部２４０は、受信された保存領域識別子を通じて識別される臨時保存領域に保存されたイメージデータのデータ識別子を、印刷装置３００に伝送させる（Ｓ４４０）。
【００４５】
イメージデータのデータ識別子を受信した印刷装置３００の制御部３４０は、イメージ供給装置２００から受信されたイメージデータのデータ識別子を伝送することによって、データ識別子を通じて識別されるイメージデータについての情報を要請できる（Ｓ４５０）。
これにより、イメージ供給装置２００の制御部２４０は、受信されたデータ識別子が指示するイメージデータについての情報を、印刷装置３００に伝送させる（Ｓ４６０）。
もし、ステップＳ４４０の過程で複数のデータ識別子が伝送されたならば、各データ識別子に対して、ステップＳ４５０及びステップＳ４６０の過程が反復できる。
【００４６】
以下、イメージ供給装置２００と印刷装置３００とがデータを伝送する過程を、ＰＴＰアーキテクチャーを利用して具現した例を説明する。しかし、本発明はこれに限定されず、イメージ供給装置２００と印刷装置３００との間にイメージデータを伝送するために使われる他の形態のプロトコルによっても、本発明が具現できる。
【００４７】
図８は、図５のイメージデータ情報伝送過程（Ｓ２４５）を、ＰＴＰアーキテクチャーを利用して具現した例を示すフローチャートである。
印刷装置３００は、ＧｅｔＳｔｏｒａｇｅＩＤコマンドを通じてイメージ供給装置２００に保存領域識別子（ＳｔｏｒａｇｅＩＤ）を要請する（Ｓ５１０）。印刷装置３００の要請によって、イメージ供給装置２００は、保存部２７０を構成する保存媒体上の保存領域を識別する保存領域識別子（ＳｔｏｒａｇｅＩＤ）を伝送させ（Ｓ５２０）、この後の過程を行う準備ができたことを知らせる（Ｓ５３０）。
ステップＳ５１０ないしステップＳ５３０は、図６のステップＳ３１０及びステップＳ３２０または図７のステップＳ４１０及びステップＳ４２０の過程を具現したものである。
【００４８】
その後、印刷装置３００は、ＧｅｔＯｂｊｅｃｔＨａｎｄｌｅコマンドを通じてイメージ供給装置２００の保存領域に保存されたイメージデータ（Ｏｂｊｅｃｔ Ｄａｔａ）のデータ識別子（Ｏｂｊｅｃｔ Ｈａｎｄｌｅ）を要請する（Ｓ５４０）。この時、印刷装置３００は、ステップＳ５２０で受信された保存領域識別子（ＳｔｏｒａｇｅＩＤ）を、ＧｅｔＯｂｊｅｃｔＨａｎｄｌｅコマンドのパラメータとして共に伝送できる。
イメージ供給装置２００は、受信された保存領域識別子（ＳｔｏｒａｇｅＩＤ）を通じて保存領域を識別し、識別された保存領域に保存されたイメージデータ（Ｏｂｊｅｃｔ Ｄａｔａ）のデータ識別子（Ｏｂｊｅｃｔ Ｈａｎｄｌｅ）を印刷装置３００に伝送させる（Ｓ５５０）。
その後、イメージ供給装置２００は、印刷装置３００に、次の過程を行う準備ができたことを知らせる（Ｓ５６０）。
もし、ステップＳ５２０の過程で複数の保存領域識別子（ＳｔｏｒａｇｅＩＤ）が伝送されたならば、各保存領域識別子（ＳｔｏｒａｇｅＩＤ）に対してステップＳ５４０ないしステップＳ５６０の過程が反復できる。
なお、ステップＳ５４０ないしステップＳ５６０は、図６のステップＳ３３０及びステップＳ３４０または図７のステップＳ４３０及びステップＳ４４０の過程を具現したものである。
【００４９】
データ識別子（Ｏｂｊｅｃｔ Ｈａｎｄｌｅ）を受信した印刷装置３００は、ＧｅｔＯｂｊｅｃｔＩｎｆｏコマンドを通じて、イメージデータについての情報（ＯｂｊｅｃｔＩｎｆｏ Ｄａｔａｓｅｔ）を要請する（Ｓ５７０）。この時、ステップＳ５５０で受信されたデータ識別子（Ｏｂｊｅｃｔ Ｈａｎｄｌｅ）を、ＧｅｔＯｂｊｅｃｔＩｎｆｏコマンドのパラメータとして共に伝送できる。
イメージ供給装置２００は、受信されたデータ識別子（Ｏｂｊｅｃｔ Ｈａｎｄｌｅ）を通じてイメージデータを識別し、識別されたイメージデータに関する情報（ＯｂｊｅｃｔＩｎｆｏ Ｄａｔａｓｅｔ）を印刷装置３００に伝送させる（Ｓ５８０）。
その後、イメージ供給装置２００の制御部２４０は、印刷装置３００に次の過程を行う準備ができたことを知らせる（Ｓ５９０）。
ステップＳ５５０の過程で複数のデータ識別子（Ｏｂｊｅｃｔ Ｈａｎｄｌｅ）が伝送されたならば、各データ識別子（Ｏｂｊｅｃｔ Ｈａｎｄｌｅ）に対して、ステップＳ５７０ないしステップＳ５９０の過程が反復できる。
なお、ステップＳ５７０ないしステップＳ５９０は、図６のステップＳ３５０及びステップＳ３６０または図７のステップＳ４５０及びステップＳ４６０の過程を具現したものである。
【００５０】
図９は、本発明の一実施形態によるマークアップ文書やイメージデータの伝送過程を、ＰＴＰアーキテクチャーを利用して具現した例を示すフローチャートである。
まず、マークアップ文書の伝送過程を説明すれば、図５の印刷作業命令過程（Ｓ２２５）などを通じて、イメージ供給装置２００から印刷するデータのデータ識別子（Ｏｂｊｅｃｔ Ｈａｎｄｌｅ）を受信した印刷装置３００は、ＧｅｔＯｂｊｅｃｔコマンドを通じて印刷するデータの伝送を要請する（Ｓ６１０）。この時、印刷装置３００は、印刷するデータのデータ識別子（Ｏｂｊｅｃｔ Ｈａｎｄｌｅ）を、ＧｅｔＯｂｊｅｃｔコマンドのパラメータとして共に伝送できる。
イメージ供給装置２００は、受信されたデータ識別子（Ｏｂｊｅｃｔ Ｈａｎｄｌｅ）を通じてマークアップ文書（Ｏｂｊｅｃｔ Ｄａｔａ）を識別し、識別されたマークアップ文書（Ｏｂｊｅｃｔ Ｄａｔａ）を印刷装置３００に伝送する（Ｓ６２０）。
その後、イメージ供給装置２００は、印刷装置３００に次の過程を行う準備ができたことを知らせる（Ｓ６３０）。
このような過程は、図５を通じて説明したステップＳ２３０及びステップＳ２３５を具現した例になりうる。
【００５１】
イメージデータの伝送過程も同じ過程で具現でき、図９を参照して説明する。
図５のデータ識別子検索過程（Ｓ２５０）などを通じて、イメージ供給装置２００から印刷するイメージデータのデータ識別子（Ｏｂｊｅｃｔ Ｈａｎｄｌｅ）を獲得した印刷装置３００は、ＧｅｔＯｂｊｅｃｔコマンドを通じて印刷するイメージデータの伝送を要請する（Ｓ６１０）。この時、印刷装置３００は、印刷するイメージデータのデータ識別子（Ｏｂｊｅｃｔ Ｈａｎｄｌｅ）を、ＧｅｔＯｂｊｅｃｔコマンドのパラメータとして共に伝送できる。
イメージ供給装置２００は、受信されたデータ識別子（Ｏｂｊｅｃｔ Ｈａｎｄｌｅ）を通じてイメージデータ（Ｏｂｊｅｃｔ Ｄａｔａ）を識別し、識別されたイメージデータ（Ｏｂｊｅｃｔ Ｄａｔａ）を印刷装置３００に伝送する（Ｓ６２０）。
その後、イメージ供給装置２００は、印刷装置３００に次の過程を行う準備ができたことを知らせる（Ｓ６３０）。
このような過程は、図５を通じて説明したステップＳ２５５及びステップＳ２６０を具現した例になりうる。
【００５２】
一方、図５に示したイメージ供給装置２００と印刷装置３００との間のその他の通信過程は、従来の技術によって具現でき、さらに詳細な内容は、Ｐｉｃｔｕｒｅ Ｔｒａｎｓｆｅｒ Ｐｒｏｔｏｃｏｌ ｆｏｒ Ｄｉｇｉｔａｌ Ｓｔｉｌｌ Ｐｈｏｔｏｇｒａｐｈｙ Ｄｅｖｉｃｅｓ，ＰＩＭＡ １５７４０：２０００，５ Ｊｕｌｙ ２０００を通じて理解できる。
【００５３】
以上、添付図を参照して本発明の実施形態を説明したが、 本発明が属する技術分野の当業者ならば本発明がその技術的思想や必須の特徴を変更せずとも他の具体的な形に実施されうるということが理解できるであろう。したがって、前述した実施形態は全ての面で例示的なものであって、限定的なものではないと理解せねばならない。
【産業上の利用可能性】
【００５４】
本発明は、ダイレクトプリンティングのための装置の関連技術分野に好適に用いられる。
【図面の簡単な説明】
【００５５】
【図１】従来の技術によるダイレクトプリンティング過程を示すフローチャートである。
【図２】本発明の一実施形態によるイメージ供給装置を示すブロック図である。
【図３】本発明の一実施形態によるイメージ供給装置が生成したマークアップ文書を示す図面である。
【図４】本発明の一実施形態による印刷装置を示すブロック図である。
【図５】本発明の一実施形態によるイメージ供給装置と印刷装置との通信過程を示すフローチャートである。
【図６】図５のイメージデータについての情報伝送過程（Ｓ２４５）をさらに具体的に示すフローチャートである。
【図７】図５のイメージデータについての情報伝送過程（Ｓ２４５）についての他の実施形態を示すフローチャートである。
【図８】図５のイメージデータ情報伝送過程（Ｓ２４５）を、ＰＴＰアーキテクチャーを利用して具現した例を示すフローチャートである。
【図９】本発明の一実施形態によるマークアップ文書やイメージデータの伝送過程を、ＰＴＰアーキテクチャーを利用して具現した例を示すフローチャートである。
【符号の説明】
【００５６】
２１０、３１０  ディスプレイ部
２２０、３２０  ユーザインターフェース部
２３０  撮影部
２４０、３４０  制御部
２５０  外部装置インターフェース部
２６０  エンコーディング部
２７０、３７０  保存部
３３０  印刷部
３５０  外部装置インターフェース部
３６０  デコーディング部
【図１】
2006107485.tif 000003
【図２】
2006107485.tif 000004
【図３】
2006107485.tif 000005
【図４】
2006107485.tif 000006
【図５】
2006107485.tif 000007
【図６】
2006107485.tif 000008
【図７】
2006107485.tif 000009
【図８】
2006107485.tif 000010
【図９】
2006107485.tif 000011